(57)【要約】【課題】ラベルが局所に貼着されたインモールド容器を提供する。【解決手段】射出成形材でできた容器本体の筒状周壁１にラベル３がインモールド成形により貼着された容器において、ラベルが帯状に形成され、このラベルが筒状周壁に局所的に巻回されている。ラベルにより容器の見栄えを高めることができる。また、筒状周壁のラベルから外れた箇所から中味を見ることができる。【選択図】図２
2008037477.tif 000002
【特許請求の範囲】
【請求項１】
射出成形材でできた容器本体の筒状周壁にラベルがインモールド成形により貼着された容器において、上記ラベルが帯状に形成され、このラベルが上記筒状周壁に局所的に巻回されていることを特徴とする容器。
【請求項２】
請求項１に記載の容器において、上記筒状周壁が、上記ラベルで覆われる上壁部と、それよりも下方で容器中心側に引っ込んだ下壁部と、これら上下壁部同士を繋ぐ段差壁とを含んでなり、上記段差壁が上記ラベルの下端よりやや上側に偏倚して設けられていることを特徴とする容器。
【請求項３】
請求項１又は請求項２に記載の容器において、上記筒状周壁の開口縁にフランジが設けられ、上記ラベルの上端がこのフランジまで延びていることを特徴とする容器。
【請求項４】
請求項１乃至請求項３のいずれかに記載の容器において、上記ラベルが上記筒状周壁における周方向で両端が重なり合うように設けられたことを特徴とする容器。
【請求項５】
容器本体の筒状周壁を、ラベルで覆われる上壁部と、それよりも下方で容器中心側に引っ込んだ下壁部と、これら上下壁部同士を繋ぐ段差壁とを含み、上記段差壁が上記ラベルの下端よりやや上側に偏倚したものとして、これら各壁に対応したキャビティを射出成形型に形成しておき、上記ラベルを射出成形型内の上記上壁部に対応する位置に取り付けたうえで、射出成形材を、上記段差壁のキャビティ側から上記上壁部のキャビティ側へと流れるように射出成形型内に射出することを特徴とする容器の製造方法。
【請求項６】
請求項５に記載の容器の製造方法において、上記ラベルを両端が重なり合うように巻回したうえで射出成形型内に装着することを特徴とする容器の製造方法。
【発明の詳細な説明】
【技術分野】
【０００１】
本発明は、ラベルがインモールド法により局所的に貼着された容器及びその製造方法に関する。
【背景技術】
【０００２】
容器本体を射出成形する際にその筒状周壁にラベルをインモールド法により貼着すると、意匠性に優れた容器を得ることができる。この容器は、扇型に打ち抜いたラベルを金型内に装填したうえで、溶融樹脂を金型内に射出することにより作られる。インモールド成形によれば、印刷、蒸着等により所望の図柄を施したラベルを金型内に挿入することで射出成形の熱と圧力によりラベルを樹脂に貼着することができる。容器の周壁にはその成形と同時にラベルの貼着が終了するため、転写等では不可能であった三次元形状への絵付けが可能になる（例えば、特許文献１参照。）。
【０００３】
【特許文献１】特開２００５−７６５３号公報
【発明の開示】
【発明が解決しようとする課題】
【０００４】
従来のインモールド法によりラベルが周壁に貼着された容器は、一般にラベルが周壁の全面にわたって貼り付けられるので、透明な射出樹脂を用いたとしても容器外から内容物を見ることができない場合がある。透明な射出樹脂で容器本体を作り、その周壁に所望の印刷を施すと、内容物を容器外から見ることができるが、内容物が例えば果汁飲料である場合、印刷文字等が内容物の色に溶け込んで見え難くなることがある。
【０００５】
また、従来のインモールド法に貼着されたラベルは容器の周壁に巻き付けた場合、両端に隙間が生じ、これが意匠性を害するという問題がある。
【０００６】
また、ラベルを射出成形型内に装着したうえで溶融樹脂を射出すると、ラベルの端が樹脂の流れで捲れたり、皺が寄ったりする場合がある。
【０００７】
本発明はこのような問題点を解決することを目的とする。
【課題を解決するための手段】
【０００８】
上記課題を解決するため、本発明は次のような構成を採用する。
【０００９】
すなわち、請求項１に係る発明は、射出成形材でできた容器本体の筒状周壁（１）にラベル（３）がインモールド成形により貼着された容器において、ラベル（３）が帯状に形成され、このラベル（３）が筒状周壁（１）に局所的に巻回されていることを特徴とする。
【００１０】
ここで、容器本体の周壁（１）は円筒形、角筒形等のいずれであってもよい。射出成形材としては、ポリプロピレン、ポリエステル、ポリカーボネート等を用いることができる。ラベル（３）としては、アルミニウム箔等の金属箔、金属箔と樹脂フィルムとの積層フィルム、金属蒸着フィルム、紙、紙と樹脂フィルムとの積層フィルム等を用いることができる。
【００１１】
上記筒状周壁（１）は、ラベル（３）で覆われる上壁部（１ａ）と、それよりも下方で容器中心側に引っ込んだ下壁部（１ｂ）と、これら上下壁部（１ａ，１ｂ）同士を繋ぐ段差壁（１ｃ）とを含んでなり、段差壁（１ｃ）がラベル（３）の下端よりやや上側に偏倚して設けられたものとすることができる。
【００１２】
上記容器は、容器本体の開口縁にフランジ（５）が設けられ、上記ラベル（３）の上端（３ａ）がこのフランジ（５）まで延びているものとすることができる。また、上記ラベル（３）は、上記容器本体の筒状周壁（１）における周方向で両端が重なり合うように設けられたものとすることができる。
【００１３】
上記容器は次の方法により製造することができる。
【００１４】
すなわち、容器本体の周壁（１）を、ラベル（３）で覆われる上壁部（１ａ）と、それよりも下方で容器中心側に引っ込んだ下壁部（１ｂ）と、これら上下壁部（１ａ，１ｂ）同士を繋ぐ段差壁（１ｃ）とを含み、上記段差壁（１ｃ）が上記ラベル（３）の下端よりやや上側に偏倚したものとして、これら各壁（１ａ，１ｂ，１ｃ）に対応したキャビティ（８ａ，８ｂ，８ｃ）を射出成形型（７）に形成しておき、上記ラベル（３）を射出成形型（７）内の上記上壁部（１ａ）に対応する位置に取り付けたうえで、溶融した射出成形材を、上記段差壁（１ｃ）のキャビティ（８ｃ）側から上記上壁部（１ａ）のキャビティ（８ａ）側へと流れるように射出成形型（７）内に射出することにより製造することができる。
【００１５】
上記製造方法において、上記ラベル（３）をその両端が重なり合うように巻回したうえで射出成形型（７）内に装着するようにしてもよい。
【発明の効果】
【００１６】
本発明によれば、射出成形材でできた容器本体の筒状周壁（１）にラベル（３）がインモールド成形により貼着された容器において、ラベル（３）が帯状に形成され、このラベル（３）が筒状周壁（１）に局所的に巻回されていることから、意匠性に優れた興趣ある容器を提供することができる。また、容器本体を透明又は半透明にした場合は、ラベル（３）の設けられていない箇所から容器の内容物を見ることができる。
【００１７】
また、本発明において、筒状周壁（１）が、ラベル（３）で覆われる上壁部（１ａ）と、それよりも下方で容器中心側に引っ込んだ下壁部（１ｂ）と、これら上下壁部（１ａ，１ｂ）同士を繋ぐ段差壁（１ｃ）とを含んでなり、段差壁（１ｃ）がラベル（３）の下端よりやや上側に偏倚して設けられたものとした場合は、ラベル（３）の端に捲れや皺の発生していない容器を提供することができる。
【発明を実施するための最良の形態】
【００１８】
次に、本発明の実施の形態について図面を参照して説明する。
【００１９】
＜実施の形態１＞
図１及び図２に示すように、この容器は射出成形材でできた内容物貯留用の容器本体を備える。射出成形材としては、例えばポリプロピレンが用いられる。
【００２０】
容器本体は、略円筒形の筒状周壁１を備え、筒状周壁１の底は底板２で閉じられている。図２中、符号Ａは容器本体内に充填された内容物の表面を示す。
【００２１】
図１及び図２に示すように、筒状周壁１には、帯状のラベル３が局所的に巻回される。後述するように、このラベル３はインモールド法により容器本体の射出成形と同時に筒状周壁１に貼着される。
【００２２】
ラベル３は、図５に示すような扇型の形状に打ち抜き等により成形される。ラベル３の素材シートとしては、例えばポリプロピレン／アルミニウム箔／ヒートシール性ポリプロピン、ポリプロピレン／紙／ヒートシール性ポリプロピンのような積層フィルムが用いられる。所望の層には印刷等により、所望の文字、絵等が表示される（図示せず）。ヒートシール性ポリプロピレンは容器本体のポリプロピレンとの融着性の観点から選ばれるもので、容器本体が他の材料で成形される場合はその材料に適合した材料に適宜変更される。
【００２３】
このように筒状周壁１における局所のみ、すなわち図示例では上部のみがラベル３で環状に覆われていることから、容器本体を透明又は半透明に成形した場合、内容物を容器外から見ることができる。また、ラベル３に表示した文字、図柄等の内容は内容物の色に溶け込むことなく使用者により容易に認識される。
【００２４】
また、上記ラベル３は、図１及び図２に示すように、容器本体の筒状周壁１における周方向で両端が重なり合うように設けられる。すなわち、ラベル３が筒状周壁１に巻き付けられ、その両端が重ね合わされている。図１及び図２において、符号４はこのラベル３の両端の重畳部を示す。ラベル３の両端が離れている場合は容器の外観としての意匠性が損なわれるのであるが、両端が重なっていることからそのような不具合が防止される。
【００２５】
図２に示すように、容器本体の筒状周壁１は、ラベル３で覆われる上壁部１ａと、それよりも下方で容器中心側に引っ込んだ下壁部１ｂと、これら上下壁部１ａ，１ｂ同士を繋ぐ段差壁１ｃとを含むように形成され、段差壁１ｃはラベル３の下端よりやや上側に偏倚するように設けられる。
【００２６】
上壁部１ａの上端には必要に応じてフランジ５が一体的に形成される。ラベル３は上壁部１ａの外面をフランジ５に接する上端から下端に至るまで覆っている。もちろん、ラベル３の上端は必要に応じて上壁部１ａの上端や下端から離れるように設けることもできる。
【００２７】
段差壁１ｃは、板リングとなって上壁部１ａの中途部分から容器中心側へと突出し、上壁部１ａと下壁部１ｂとの境界を形成する。
【００２８】
また、段差壁１ｃはラベル３の下端よりやや上側に偏倚し、上壁部１ａの下端は段差壁１ｃを越えて下壁部１ｂ上まで伸び垂下部６を形成している。
【００２９】
次に、上記容器の製造方法について図３及び図４に基づいて説明する。
【００３０】
上述したように容器本体の筒状周壁１は、ラベル３で覆われる上壁部１ａと、それよりも下方で容器中心側に引っ込んだ下壁部１ｂと、これら上下壁部１ａ，１ｂ同士を繋ぐ段差壁１ｃとを含み、段差壁１ｃがラベル３の下端よりやや上側に偏倚したものとして構成されるが、図３に示すように、これら各壁１ａ，１ｂ，１ｃに対応したキャビティ８ａ，８ｂ，８ｃが射出成形型７に形成される。また、容器の底板２、フランジ５に対応したキャビティ２ａ，５ａも形成される。
【００３１】
射出成形材は例えばポリプロピレンであり、その射出口７ａが射出成形型７における底板２のキャビティ２ａに臨むように設けられる。
【００３２】
射出成形型７の各部を組み合わせる前に、ラベル３が巻回され両端が重ねられた状態で射出成形型７の上壁部１ａに対応するキャビティ８ａ内に取り付けられる。射出成形型７のこの部分には図示しないが真空吸引孔が設けられ、真空吸引孔からの吸引によってラベル３が所定の位置に固定される。ラベル３の両端は射出成形型７内で図１に示す如く重ね合わされる。
【００３３】
ラベル３がキャビティ８ａ内に取り付けられ、射出成形型７の組み付けが完了すると、溶融したポリプロピレン樹脂が射出口７ａから成形型７内に射出される。溶融した樹脂は底板２のキャビティ２ａ、下壁部１ｂのキャビティ８ｂ、段差壁１ｃのキャビティ８ｃへと流れ、上壁部１ａのキャビティ８ａ、フランジ５のキャビティ５ａへと流入する。この時、図４中矢印で示すように、溶融した樹脂が上壁部１ａのキャビティ８ａ内を上側と下側へと分岐して流れるので、ラベル３の両端の重畳部４が上壁部１ａのキャビティ８ａの外側壁９へと押圧される。このため、ラベル３の両端の重畳部４内に溶融樹脂が入り込んだり、ラベル３の重畳部４を含む他の部分が樹脂圧で上側に押しやられたり、ラベル３の背後すなわちキャビティ８ａの外側壁９とラベル３との間に樹脂が回り込んだり、ラベル３が樹脂圧で捲れ、破断、褶曲を生じたりするような不具合が適正に防止される。
【００３４】
溶融した樹脂の射出により、ラベル３は樹脂の溶融熱及び圧力により上壁部１ａの外側面に貼着され、上壁部１ａと一体化される。
【００３５】
射出成形後、成形型７の各部が分離し、成形品である容器が成形型７外に取り出される。
【００３６】
＜実施の形態２＞
図６に示すように、この実施の形態２における容器本体の筒状周壁１０は、実施の形態１における段差壁１ｃを省いた略円筒形の同一面として形成される。
【００３７】
ラベル３は実施の形態１の場合と同様に両端が重畳部４となるようにして筒状周壁１０に貼着され、射出樹脂の圧力により筒状周壁１０の肉厚内に埋め込まれ、これによりラベル３の表面が筒状周壁１０の表面と同一面化している。
【００３８】
その他、図６において図１及び図２における部分と同一の部分には同一の符号を付して示し重複した説明を省略する。
【００３９】
本発明に係る容器及びその製法は以上のように構成されるが、本発明は上記実施の形態１，２に限定されるものではなく、その趣旨の範囲内において種々変更可能である。
【図面の簡単な説明】
【００４０】
【図１】本発明の実施の形態１に係る容器の正面図である。
【図２】図１中、ＩＩ−ＩＩ線矢視断面図である。
【図３】図１に示す容器の製造方法を示す垂直断面図である。
【図４】図３中、ＩＶ部分の拡大図である。
【図５】ラベルの部分切欠展開図である。
【図６】本発明の実施の形態２に係る容器の垂直断面図である。
【符号の説明】
【００４１】
１…筒状周壁
１ａ…上壁部
１ｂ…下壁部
１ｃ…段差壁
３…ラベル
５…フランジ
７…射出成形型
８ａ，８ｂ，８ｃ…キャビティ
【図１】
2008037477.tif 000003
【図２】
2008037477.tif 000004
【図３】
2008037477.tif 000005
【図４】
2008037477.tif 000006
【図５】
2008037477.tif 000007
【図６】
2008037477.tif 000008